(57)【要約】【課題】従来の本平瓦の両側端部と、尻側にそれぞれ水返し突条とによる構成では、雨仕舞に十分でなく問題がある。また調査した文献では、従来技術の改良を意図して、水返し突条を嵩上げして、高い水返し突条とするとともに、この水返し突条の直線的な係合を介して、列設する構成を採用して、雨仕舞の向上を図る。しかし、水返し突条の改良に留まっており、瓦本体部の表面を流れる雨水の量、強風等の状況では、機能しないことも考えられる。【構成】本発明は、瓦本体部の両側端部の内方に設けた雨水流路を利用して、瓦本体部と丸瓦との葺き合せ隙間等より浸入する雨水を確実に、瓦本体部及び／又は他の瓦本体部（下側の瓦本体部）に誘導する。また水返し突条の尻側に設けた係止用の段落し部を利用して、各水返し突条の連設状態を確保して、雨仕舞の向上と、雨水の裏面への廻り込みを防止する。さらにこの係止用の段落し部を利用して、ズレ防止を図る。【選択図】    図１
2004300765.tif 000002
【特許請求の範囲】
【請求項１】
段付きの本平瓦であって、
この本平瓦の瓦本体部に、その両側端部と、尻側にそれぞれ水返し突条を設けるとともに、この尻側から前記瓦本体部の露出面の略中央に向かって迫り上がり形態でなる上段瓦本体部を設け、またこの上段瓦本体部の頭端側に連設した段付き部を設け、さらにこの段付き部に連設した段付き底部を設けるとともに、この段付き底部から頭側に向かって迫り上がり形態でなる下段瓦本体部を設け、
また前記瓦本体部の両側端部に設けた水返し突条の尻側重なり部に、係止用の段落し部を形成し、
さらに前記瓦本体部の上段瓦本体部、及び下段瓦本体部の両端側と、前記瓦本体部の両側端部の水返し突条との間にあって、瓦本体部の両側端部の内方に雨水流路をそれぞれ形成したことを特徴とする本平瓦。
【請求項２】
請求項１に記載の雨水流路を、前記瓦本体部の両端側の水返し突条上面と平行し、かつ瓦本体部の尻側の水返し突条の内側から頭側に亘る全面に形成したことを特徴とする本平瓦。
【発明の詳細な説明】
【０００１】
【発明の属する技術分野】
本発明は本平瓦（本葺き用平瓦）に関する。
【０００２】
【従来の技術】
従来の簡略本葺き瓦（本葺き瓦とする）は、図６、図７に示した構成が主体であった。その概要を説明すると、図６に示した段付きの本葺き瓦は、この本葺き瓦（イ）の両側端部（イ−１、イ−１）と、尻側（イ−２）にそれぞれ水返し突条（ロ）を設けるとともに、この瓦本体部の尻側と頭側（イ−３）とに亘る表面で、葺き合せ時に露出する表面（露出面）の略中央に形成した段付き部（ハ）を設けた構成である。また図７に示した本葺き丸瓦（ニ）は、両面戸部（ニ−１、ニ−１）に段付き端面（ホ）を備えた半截筒状でなる構成である。従って、この本葺き瓦（イ）の両側端部（イ−１、イ−１）を本葺き丸瓦（ニ）が被覆するように重ね葺き（葺設）する構成である。この葺設では、本葺き瓦（イ）と丸瓦（ニ）とによる（本葺き瓦葺き構造）の雨仕舞は、本葺き瓦（イ）の両側端部（イ−１、イ−１）に設けた水返し突条（ロ）を堰とする構成となる。この構成のような水返し突条（ロ）による雨仕舞では、当該本葺き瓦（イ）の表面を流れる雨水対策は、十分とは云えない。即ち、この本葺き瓦（イ）の谷面から遡上する雨水の本葺き瓦（イ）の裏面への廻り込みが考えられており、所謂、雨漏り対策が課題となる。従って、この課題を解決することが要求される。また本葺き瓦（イ）の裏面は、略曲面形状であって、安定性を欠き、葺設に経験と、熟練とを要することから、結局の処、適切な葺き合せが困難視されること、また本葺き瓦（イ）は、表面全体が、略曲面形状で構成されているので、本葺き瓦（イ）と丸瓦（ニ）との葺き合せ概ねの目安となり得る構成がなく、葺き合せの困難性と、迅速な葺き合せが図れないこと、等の問題点が考えられる。
【０００３】
そして、本発明と関連があり、また前記の従来技術の改良に関する文献としては、下記のような文献が挙げられる。その文献（１）は、特開２００１−１３２１６７の本平瓦であり、その内容は、瓦本体部の端側の一方及び他方に直線状の水返し突条を形成し、端側の一方及び他方の水返し突条の尻側に内方に向かったズレ防止用の水返し突条段付部を形成し、この水返し突条段付部に他の本平瓦の端側に設けた一方及び他方の水返し突条の頭側が係止される構成であり、本平瓦の直線状の水返し突条に設けたズレ防止用の水返し突条段付部に、他の本平瓦の頭側を衝止する構成として、勾配方向及び桁方向のズレ防止と、雨仕舞いの向上とを意図する。また文献（２）は、特開平９−１８４２４５号の瓦であり、その内容は、平瓦は、断面弓状の本体の下部左右両端に凸設された一対の水切りと、この水切りの上部に連設して凸部を形成し、また前記本体の裏面の頭側左右両端に一対の凹部を形成し、この表面の凸部が、裏面の凹部内に収納される構成であり、雨水の浸入を防止することを意図する。
【０００４】
【発明が解決しようとする課題】
従来の本平瓦の両側端部と、尻側にそれぞれ水返し突条とを設けた構成では、雨仕舞に十分でない問題がある。そして、文献（１）、（２）においては、前記従来技術の改良を意図して、水返し突条（水切り）を嵩上げして、高い水返し突条とするとともに、この水返し突条の直線的な係合を介して、列設する構成を採用して、雨仕舞の向上を図る。しかし、この文献（１）、（２）は、水返し突条の改良に留まっており、瓦本体部の表面を流れる雨水の量、風等の状況によっては、機能しないことも考えられる。
【０００５】
上記に鑑み、本発明は、略全ての気候条件（瓦本体部の表面を流れる雨水の量、風等の状況）に対応できる本平瓦を提供する。また勾配方向のズレ防止に役立つ本平瓦を提供する。
【０００６】
【課題を解決するための手段】
請求項１の発明は、瓦本体部の両側端部の内方に設けた雨水流路を利用して、瓦本体部と丸瓦との葺き合せ隙間等より浸入する雨水を確実に、瓦本体部及び／又は他の瓦本体部（下側の瓦本体部）に誘導すること、又は水返し突条の尻側に設けた係止用の段落し部を利用して、各水返し突条の連設状態を確保して、雨仕舞の向上と、雨水の裏面への廻り込みを防止すること、等を意図する。さらにこの係止用の段落し部を利用して、ズレ防止を図ること、等を意図する。
【０００７】
請求項１は、段付きの本平瓦であって、
この本平瓦の瓦本体部に、その両側端部と、尻側にそれぞれ水返し突条を設けるとともに、この尻側から前記瓦本体部の露出面の略中央に向かって迫り上がり形態でなる上段瓦本体部を設け、またこの上段瓦本体部の頭端側に連設した段付き部を設け、さらにこの段付き部に連設した段付き底部を設けるとともに、この段付き底部から頭側に向かって迫り上がり形態でなる下段瓦本体部を設け、
また前記瓦本体部の両側端部に設けた水返し突条の尻側重なり部に、係止用の段落し部を形成し、
さらに前記瓦本体部の上段瓦本体部、及び下段瓦本体部の両端側と、前記瓦本体部の両側端部の水返し突条との間にあって、瓦本体部の両側端部の内方に雨水流路をそれぞれ形成したことを特徴とする本平瓦である。
【０００８】
請求項２の発明は、瓦本体部の両側端部の内方に設けた雨水流路に流入した雨水を、少なくともこの瓦本体部の下段瓦本体部（段付き底部）に誘導することを意図する。また雨仕舞の向上に寄与できる本平瓦を提供する。
【０００９】
請求項２は、請求項１に記載の雨水流路を、前記瓦本体部の両側端部の水返し突条上面と平行し、かつ瓦本体部の尻側の水返し突条の内側から頭側に亘る全面に形成したことを特徴とする本平瓦である。
【００１０】
【発明の実施の形態】
屋根地に固定された横棧に、瓦本体部の裏面の棧安定面を当接するとともに、当該横棧に、瓦本体部の裏面の引掛けを係止し、かつ釘孔を介して屋根地又は横棧等（下地）に釘止めする。この横棧への係止、釘止めによる緊締等により、本平瓦は屋根地に確実かつ容易に葺き上げられる。
【００１１】
この葺設された当該本平瓦の瓦本体部の各水返し突条（一方側で説明する）の各段落し部に、上側に葺設した瓦本体部の水返し突条の頭側を衝止するとともに、この各段落し部に続く段落し面に、上側に葺設する瓦本体部の頭側の裏面を添接する。またこの葺設時に、瓦本体部の上段瓦本体部に設けた係止片（係止用手段）は、上側に葺設した瓦本体部の頭側端面を衝止する。この衝止、添接等を介して上下側に葺設した瓦本体部の水返し突条の連設が図れる（連なった水返し突条が形成される）ことと、この上下側の本体瓦の確実な葺き上げと、ズレ防止とが図れる。尚、上側の本平瓦を横棧に係止すること、釘止めすることは前述と同様である。
【００１２】
そして、この葺設された各本平瓦には、丸瓦が覆い被さるように葺設される。この丸瓦の面戸部に設けた段付き端面は、瓦本体部の雨水流路を覆い隠すようにして、この上段及び下段瓦本体部の表面端部に衝止される（尚、この上段瓦本体部の係止片を隠すように葺設することで、葺き合せの目安とする場合もあり得る。例えば、きき幅最大の時である）。従って、雨水流路は、丸瓦の本体部の一面で隠蔽されるとともに、この雨水流路は、外部と遮断される。これにより、この雨水流路を流れる雨水は、風雨の影響を受けず、また澱みなく流下する。また水返し突条が雨水の乗り越えを制止し、本平瓦の裏側への廻り込みを略確実に阻止する。さらにこの雨水流路は、丸瓦の本体部の面戸部で隠蔽されるとともに、体裁、美観、凹凸による塵の堆積回避等の確保が図れる。またこの丸瓦は、釘止め、番線止め等により緊締される。そして、この丸瓦の玉縁には上側の丸瓦の頭側が葺設される。
【００１３】
以上の作業を繰返し、図示しない棟瓦、軒瓦等を葺設することで屋根が葺き上げられる。
【００１４】
【実施例】
以下、本発明の一実施例を説明する。
【００１５】
１は本平瓦の瓦本体部で、この瓦本体部１の表面１イには、図１に示すように、その両側端部１００、１００にそれぞれ水返し突条２、２と、尻側１０１に水返し突条３を設ける。また表面１イには、尻側１０１から瓦本体部１の露出面の略中央１ハに向かって迫り上がり形態でなる上段瓦本体部４を設け、またこの上段瓦本体部４の頭端側に連設した段付き部５を設け、さらにこの段付き部５に連設した段付き底部６を設けるとともに、この段付き底部６から頭側１０２に向かって迫り上がり形態でなる下段瓦本体部７を設ける。
【００１６】
そして、前記両側端部１００、１００にそれぞれ設けた水返し突条２、２の尻側には、係止用の段落し部２００、２００を形成する。この係止用の段落し部２００、２００には、図５に示すように、上側の平板瓦の瓦本体部１’の頭側１０２’が衝止するとともに、段落し面２０２には、瓦本体部１の裏面１ロの両側端部１００ロ、１００ロが載架される。また尻側１０１の水返し突条３には、図１に示すように、略中央に係止安定用の平坦帯３００を形成する。この平坦帯３００には、瓦本体部１の裏面１ロに設けた安定面８が係止載架される。
【００１７】
図中９は上段瓦本体部４の両端に設けた係止片、また１０は瓦本体部１の表面１イであって、その頭側１０２の両端に設けた雨水誘導用の突片を示す。
【００１８】
また図中１１は瓦本体部１の上段瓦本体部４の両端側Ｘと、下段瓦本体部７の両端側Ｘ’と、水返し突条２の内側２０１との間に形成された雨水流路で、この雨水流路１１は、丸瓦２０の本体部２１で隠蔽される。またこの雨水流路１１は雨水のスムーズな流れを確保する。また雨水流路１１は、瓦本体部１の表面１イであって、その尻側１０１の水返し突条３の内側から頭側１０２に亘る構成である。そして、この雨水流路１１の頭側１０２には前記突片１０が設けられており、丁度、この雨水流路１１を堰き止めるように形成されている。従って、この雨水流路１１の雨水を、瓦本体部１の表面１イに誘導する。
【００１９】
１２は上段瓦本体部４の両端側Ｘに、その上方１２イ（尻端側１２００）より下方１２ロ（頭端側１２０１）に亘り形成された切り削ぎ部で、この切り削ぎ部１２の尻端側１２００（例えば、上段瓦本体部４の略中央に至る）は、雨水流路１１に連なり、また切り削ぎ部１２の頭端側１２０１は、段付き部５に開口１２０２したことを特徴とする。そして、この切り削ぎ部１２の端側底面１２０３は雨水流路１１と略同一となっている。また各雨水流路１１の頭側端部１０２イ、１０２イに突片１０、１０を設け、風雨で遡上する雨水等を下側の瓦本体部（図示せず）に誘導する。またこの切り削ぎ部１２は、各雨水流路１１の雨水を確実に、他の各雨水流路、又は瓦本体部（図示せず）に誘導する。またこの切り削ぎ部１２は、成形時の金型の離れを容易にすること、成形時の形状の安定性に役立つこと、等の利点がある。
【００２０】
また丸瓦２０は、本体部２１の両面戸部２２、２２に段付き端面２２００、２２００を備えた半截筒状でなる。この丸瓦２０は、前述の如く、瓦本体部１の雨水流路１１を覆い隠すようにして、この上段及び下段瓦本体部４、７の表面側端部に載置される。２３は玉縁を示す。
【００２１】
図中３０は裏面１ロに設けた引掛け、３１は裏面１ロに設けた安定駒、３２は裏面１ロに設けた横棧添接用の平坦帯をそれぞれ示す。図中４０は釘孔を示す。
【００２２】
【発明の効果】
請求項１の発明は、段付きの本平瓦であって、本平瓦の瓦本体部に、両側端部と、尻側にそれぞれ水返し突条を設けるとともに、尻側から瓦本体部の露出面の略中央に向かって迫り上がり形態でなる上段瓦本体部を設け、また上段瓦本体部の頭端側に連設した段付き部を設け、さらに段付き部に連設した段付き底部を設けるとともに、段付き底部から頭側に向かって迫り上がり形態でなる下段瓦本体部を設け、また瓦本体部の両側端部に設けた水返し突条の尻側重なり部に、係止用の段落し部を形成し、さらに瓦本体部の上段瓦本体部と、及び下段瓦本体部の両端側と、瓦本体部の両側端部の水返し突条との間にあって、瓦本体部の両端側の内方に雨水流路をそれぞれ形成した本平瓦である。
【００２３】
従って、請求項１は、瓦本体部の両端側の内方に設けた雨水流路を利用して、瓦本体部と丸瓦との葺合せ隙間等より浸入する雨水を確実に、瓦本体部及び／又は他の瓦本体部（下側の瓦本体部）に誘導できること、又は水返し突条の尻側に設けた係止用の段落し部を利用して、各水返し突条の連設状態を確保し、雨仕舞の向上と、雨水の裏面への廻り込みを防止できること、等の特徴がある。さらに係止用の段落し部を利用して、ズレ防止が図れる利点がある。
【００２４】
請求項２の発明は、請求項１に記載の雨水流路を、瓦本体部の両側端部の水返し突条上面と平行し、かつ瓦本体部の尻側の水返し突条の内側から頭側に亘る全面に形成した本平瓦である。
【００２５】
従って、請求項２は、瓦本体部の両側端部の内方に設けた雨水流路に流入した雨水を、少なくともこの瓦本体部の下段瓦本体部（段付き底部）に誘導できること、また雨仕舞の向上に寄与できる本平瓦を提供できること、等の特徴がある。
【図面の簡単な説明】
【図１】本平瓦の全体を示す平面視した斜視図
【図２】本平瓦の全体を示す裏面視した斜視図
【図３】丸瓦の全体を示す平面視した斜視図
【図４】切り削ぎ部と上下段瓦本体部と雨水流路との関係を説明する拡大斜視図
【図５】本発明の葺設した一例を示す斜視図
【図６】従来の本平瓦の一例を示す平面視した斜視図
【図７】従来の丸瓦の一例を示す平面視した斜視図
【符号の説明】
１          瓦本体部
１’              瓦本体部
１イ        表面
１ロ        裏面
１ハ        略中央
１００              側端部
１００ロ      側端部
１０１            尻側
１０２            頭側
１０２イ            頭側端部
１０２’            頭側
２          水返し突条
２００            段落し部
２０１        内側
２０２        段落し面
３          水返し突条
３００        平坦帯
４                上段瓦本体部
５                段付き部
６                段付き底部
７              下段瓦本体部
８              安定面
９              係止片
１０            突片
１１            雨水流路
１２              切り削ぎ部
１２イ        上方
１２ロ        下方
１２００          尻端側
１２０１          頭端側
１２０２      開口
１２０３            端側底面
２０              丸瓦
２１            本体部
２２            面戸部
２２００            段付き端面
２３        玉縁
３０        引掛け
３１              安定駒
３２              棧安定面
４０              釘孔
Ｘ              端側
Ｘ’        端側
【図１】
2004300765.tif 000003
【図２】
2004300765.tif 000004
【図３】
2004300765.tif 000005
【図４】
2004300765.tif 000006
【図５】
2004300765.tif 000007
【図６】
2004300765.tif 000008
【図７】
2004300765.tif 000009